(57)【要約】【課題】  内蔵するハードディスクドライブの耐衝撃性が向上した撮像装置を提供する。【解決手段】  第１筐体部２と、第１筐体部にスライドが可能に嵌め込まれる第２筐体部３と、第１筐体部又は第２筐体部に設けられ、被写体からの反射光をレンズを介して受光し、反射光に応じた画像情報を出力する撮像部４，１１と、第１筐体部及び第２筐体部にそれぞれ接続され、第２筐体部のスライドに応じて伸張又は圧縮される緩衝部材６，８，９と、緩衝部材を介して第１筐体部及び第２筐体部に接続され、撮像部から出力される画像情報を記憶領域に記録する記録部５とを有する撮像装置であり、第２筐体部がスライドした際のあき空間に緩衝部材を介して記録部が保持されることで、耐衝撃性を向上させることができる。【選択図】図１
2006067473.tif 000002
【特許請求の範囲】
【請求項１】
第１筐体部と、
前記第１筐体部にスライドが可能に嵌め込まれる第２筐体部と、
前記第１筐体部又は第２筐体部に設けられ、被写体からの反射光をレンズを介して受光し、反射光に応じた画像情報を出力する撮像部と、
前記第１筐体部及び第２筐体部にそれぞれ接続され、前記第２筐体部のスライドに応じて伸張又は圧縮される緩衝部材と、
前記緩衝部材を介して前記第１筐体部及び第２筐体部に接続され、前記撮像部から出力される前記画像情報を記憶領域に記録する記録部とを具備することを特徴とする撮像装置。
【請求項２】
前記記録部は、前記第２筐体部がスライドされることで生じる前記第２筐体部の内部空間内に、前記伸張された緩衝部材を介して保持されていることを特徴とする請求項１記載の撮像装置。
【請求項３】
前記記録部は、前記緩衝部材を介して保持されているハードディスクドライバであることを特徴とする請求項１記載の撮像装置。
【請求項４】
前記緩衝部材は、ゴム部材を含むことを特徴とする請求項１記載の撮像装置。
【請求項５】
前記緩衝部材は、プラスティック部材を含むことを特徴とする請求項１記載の撮像装置。
【請求項６】
前記緩衝部材は、蛇腹状の保持部材であることを特徴とする請求項１記載の撮像装置。
【請求項７】
前記緩衝部材は、スポンジ部材を含むことを特徴とする請求項１記載の撮像装置。
【請求項８】
前記緩衝部材は、板状バネ部材を含むことを特徴とする請求項１記載の撮像装置。
【請求項９】
前記緩衝部材は、螺旋状バネ部材を含むことを特徴とする請求項１記載の撮像装置。
【請求項１０】
前記第２筐体部上に設けられ、前記第２筐体部がスライドされることで、前記撮像装置の電源をオンするためのスイッチ素子を更に有することを特徴とする請求項１記載の撮像装置。
【発明の詳細な説明】
【技術分野】
【０００１】
この発明は、撮像装置に関し、特に、ハードディスク等の記憶装置の緩衝構造を有する撮像装置に関する。
【背景技術】
【０００２】
最近、撮像装置においては、従来のフィルム感光式の光学カメラに代わって、ＣＣＤ素子を用いたデジタル機器であるデジタルスチルカメラ等の普及が急速に進んでいる。このようなデジタルスチルカメラにおいては、撮影された画像はデジタル情報としてメモリ等に保存されため、より多くのメモリ領域が望まれるものである。そこで、例えば、デジタルスチルカメラに、着脱可能のメモリカードだけではなく、大容量のハードディスクを内蔵する製品が徐々に増えてきている。しかし、一般に、ハードディスクドライブは衝撃に弱く、例えば、ノートパソコンに装着されるハードディスクドライブについても、落下・振動等の衝撃対策が施される。
【０００３】
すなわち、特許文献１には、ノートパソコンにおいて、ハードディスクドライブを本体に装着する際に、衝撃を吸収するためのバネ片が設けられている。
【特許文献１】特開２００４−１５２１１６号公報。
【発明の開示】
【発明が解決しようとする課題】
【０００４】
しかし、特許文献１の従来技術においては、ノートパソコンへのハードディスクドライブの装着方法を開示するものであり、デジタルスチルカメラ等の撮像装置の固有の構成に対応したハードディスクドライバ等の装着については、どのように行うべきかが判らないという問題がある。
【０００５】
本発明は、デジタルスチルカメラ等の固有の構成に適合させてハードディスクドライブを装着することで耐衝撃性を向上させた撮像装置を提供することを目的とする。
【課題を解決するための手段】
【０００６】
本発明の一実施の形態は、第１筐体部と、前記第１筐体部にスライドが可能に嵌め込まれる第２筐体部と、前記第１筐体部又は第２筐体部に設けられ、被写体からの反射光をレンズを介して受光し、反射光に応じた画像情報を出力する撮像部と、前記第１筐体部及び第２筐体部にそれぞれ接続され、前記第２筐体部のスライドに応じて伸張又は圧縮される緩衝部材と、前記緩衝部材を介して前記第１筐体部及び第２筐体部に接続され、前記撮像部から出力される前記画像情報を記憶領域に記録する記録部とを具備することを特徴とする撮像装置である。
【発明の効果】
【０００７】
上記の撮像装置において、例えば、本体である第１筐体部と、本体のカバーユニットである第２筐体部とからなり、このカバーユニットは、スライドすることで、例えば、電源スイッチが入ったり、対物レンズのカバーが外されてレンズが露出したりする構成を有している。このような構成において、カバーユニットが外側にスライドされたとき、カバーユニット内部ではあき空間が生じるものであり、本発明においては、ちょうど、このあき空間の真中にハードディスクドライブが、例えば、スライドに応じて伸張し圧縮されるゴムやプラスティック、蛇腹状保持部材等による緩衝部材で保持されるものである。
【０００８】
この時、一方の緩衝部材は、ハードディスクドライブと第１筐体部との間を伸縮自在に保持しており、他方の緩衝部材は、ハードディスクドライブと第２筐体部（カバーユニット）との間を伸縮自在に保持しているものである。従って、ユーザがカバーユニットを開閉しても、ハードディスクドライブは、ハードディスクドライブと第２筐体部（カバーユニット）との間に保持されて動作する。
【０００９】
この時、注目すべきは、カバーユニットが開かれて、撮影可能な状態に設定されている時は、ハードディスクドライブの周辺の空間に大きな広がりをもつため、カバーユニットが閉じられて撮影待機状態になっている場合に比べて、耐衝撃性が飛躍的に向上しており、例えば、ユーザが撮影中にデジタルスチルカメラを誤って落下させても、直ちにハードディスクドライブが破壊される可能性は非常に少なくなっている。本発明は、このようにして、形態時の筐体の小型化と撮影時の耐衝撃性の向上の両立を図るものである。
【発明を実施するための最良の形態】
【００１０】
以下、この発明の実施の形態について図面を参照して詳細に説明する。
【００１１】
＜本発明に係る撮像装置の構成と動作＞
初めに、本発明に係る撮像装置（例えば、デジタルスチルカメラ（動画処理機能を伴うことも可能））の構成と動作について、図面を用いて詳細に説明する。本発明に係る撮像装置１（一例として、デジタルスチルカメラ）は、図１乃至図４に示すように、被写体からの撮像光を受けるレンズ１１と、レンズ１１で結像した画像光を受けるＣＣＤ１２と、この画像光に応じてＣＣＤ１２から出力された電気信号を受けるＡ／Ｄ変換器１３と、Ａ／Ｄ変換器１３からの出力信号（画像データ）を受け画像処理を行う信号処理回路１５と、画像処理された画像データを一旦格納する、インタフェースを介して着脱可能なメモリ１４とを有している。更に、撮像装置１は、各部に接続され、全体の動作の制御を行うＣＰＵ１８を有しており、更に、メモリ１４に蓄えられた画像データを画像ファイル化して格納する、例えば、ハードディスク等や大型メモリ等の記憶装置５と、メモリ１４や記憶装置５に格納された画像ファイルに応じた画像を表示する液晶画面等の表示部１６とを有しており、シャッタやモードスイッチ等の操作スイッチや、光センサ等の検出回路１７からの信号に応じて、ＣＰＵ１８の制御により動作するものである。
【００１２】
すなわち、本発明に係る撮像装置１は、上述した構成により、ＣＰＵ１８の制御下において、レンズ１１を介して被写体からの撮像光を受け、レンズ１１で結像した画像に応じたＣＣＤ１２から出力される画像データをＡ／Ｄ変換器１３により変換し、この変換された画像データを信号処理回路１５において、適宜、画像処理を行って、メモリ１４等や記憶装置５にこの画像データを画像ファイル化して格納する。更に、操作に応じて、液晶画面等の表示部１６に画像ファイルに応じた画像を表示するものである。
【００１３】
＜本発明に係る撮像装置におけるハードディスクドライブ等の緩衝構造＞
次に、本発明に係る撮像装置におけるハードディスクドライブ等の緩衝構造について、図１乃至図３を用いて、詳細に説明する。すなわち、図１において、撮像装置１は、本体である第１筐体部２と、カバーユニットである第２筐体部３と、第１筐体部２と一体化する電装部４とを有している。ここで、カバーユニット３は、撮影時の撮像装置１−２に示すように、スライドさせることができ、この時、例えば、電源スイッチ７がオンとなることが好適であるが、必ずしも電源スイッチ７は、本発明の実施には必要ではない。
【００１４】
ここで、注目すべきは、カバーユニット３をスライドさせることで、カバーユニット３の内部は、あき空間Ｗが生じるものであり、このあき空間Ｗを利用して、例えば、ハードディスクドライバ５の周辺にあき空間を生じさせることができる。これにより、ハードディスクドライブへの耐衝撃を非常に向上させることが可能となる。
【００１５】
ここで、緩衝部材６は、カバーユニット３のスライドに対応して、伸張し圧縮する伸縮性を有していなければならない。従って、緩衝部材６は、例えば、ゴム部材であり、プラスティック部材であり、又、図２に示すように、板状バネ部材であり、又、図３に示すように、蛇腹状の保持部材であり、又、螺旋状のバネであることが好適である。これらの部材において、カバーユニット３がスライドされる程度に応じて、それぞれの緩衝部材６，８，９が伸張して、ハードディスクドライブ５を保持するものである。又、緩衝部材６，８，９は、図１乃至図３に示すように、基本的に、第１筐体部２と、ハードディスクドライブ５との間に設けられ、更に、カバーユニットである第２筐体部３と、ハードディスクドライブ５との間に設けられており、ハードディスクドライブ５は、直接、第１筐体部２やカバーユニット３に接続されているわけではない。
【００１６】
しかしながら、例えば、図示しないフレキシブル配線がハードディスクドライブ５と電装部４の間に設けられて、電気的に配線が行われることは好適である。又、周辺の構成との多少の機械的な接続があったとしても、本発明の耐衝撃性を大きく損なうものではないため、多少の接続が設けられていることは可能である。
【００１７】
又、本発明に係る撮像装置は、上記の緩衝部材に限定されるものではなく、同様に、ハードディスクドライブ５を、カバーユニット３のスライドに対応して、伸張し圧縮する伸縮性を有していれば、同様の作用効果を示すものである。
【００１８】
上述したように、本発明に係る撮像装置は、撮影時はカバーユニットをスライドさせることで、撮像装置の内部に衝撃吸収に用いられるあき空間を作ることによって、携帯時（非撮影時）の筐体の小型化と撮影時の耐衝撃性とを両立させることが可能である。
【００１９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００２０】
【図１】本発明の一実施形態に係る撮像装置の構造の一例を示す説明図。
【図２】本発明の一実施形態に係る撮像装置の構造の他の一例を示す説明図。
【図３】本発明の一実施形態に係る撮像装置の構造の他の一例を示す説明図。
【図４】本発明の一実施形態に係る撮像装置の構造の一例を示すブロック図。
【符号の説明】
【００２１】
１…撮像装置（デジタルスチルカメラ）、１−２…撮影時のスライドされた撮像装置、２…本体部、３…カバーユニット、４…電装部、５…記憶装置、６…緩衝部材、７…スイッチ部、８…板状バネ部材、９…螺旋状バネ部材、１１…レンズ。
【図１】
2006067473.tif 000003
【図２】
2006067473.tif 000004
【図３】
2006067473.tif 000005
【図４】
2006067473.tif 000006